(57)【要約】      （修正有）【課題】市場の需要と市場によるテストにより適切に対応できるように異なる対象者のニーズを満たすための分離式弾性フレームブラジャを提供する。【解決手段】分離式弾性フレームブラジャは、表地１と、複数の弾性材料バーを接続して形成される弾性フレームとを含む。弾性フレームは、ストラップカップエッジフレーム、センターロワーダウンフレーム１８、左リアウィングフレーム２０及び右リアウィングフレーム２１の四つの部分に分かれて構成される。表地は、全体的なブラジャの形状である。ストラップカップエッジフレーム、センターロワーダウンフレーム、左リアウィングフレーム及び右リアウィングフレームのうちいずれか一つ以上は、表地の対応する位置に弾性フレーム接着テープがコーティングされる。【選択図】図６
0003230306.tif 000002
【実用新案登録請求の範囲】
【請求項１】
表地と、複数の弾性材料バーを接続して形成される弾性フレームとを含む分離式弾性フレームブラジャであって、
前記弾性フレームは、ストラップカップエッジフレーム、センターロワーダウンフレーム、左リアウィングフレーム及び右リアウィングフレームの四つの部分に分かれて構成され、
前記表地は、全体的なブラジャの形状であり、
前記ストラップカップエッジフレーム、センターロワーダウンフレーム、左リアウィングフレーム及び右リアウィングフレームのうちいずれか一つ以上は、表地の対応する位置に弾性フレーム接着テープがコーティングされる、
ことを特徴とする分離式弾性フレームブラジャ。
【請求項２】
前記センターロワーダウンフレームは、ボトムカップバー、クランプバー、サイドウィングバー及びロワーダウンバーから構成され、
前記ロワーダウンバーは、前記弾性フレームの中間の下方に位置する水平横バーであり、
二つの前記サイドウィングバーは、縦方向に設けられ、下端がそれぞれ対応する前記ロワーダウンバーの両端に接続され、
二つの前記クランプバーは、水平方向に内側と上方に傾斜して設けられ、外側端がそれぞれ対応する前記サイドウィングバーの上端に接続され、
前記ボトムカップバーは、「ω」字型となるように前記ロワーダウンバーの上方中間位置に設けられ、両側の上方端部がそれぞれ対応する前記クランプバーの内側端に接続される、
ことを特徴とする請求項１に記載の分離式弾性フレームブラジャ。
【請求項３】
前記センターロワーダウンフレームには、アッパーカップバー及びロワーカップバーがさらに含まれ、
前記アッパーカップバー及びロワーカップバーは、それぞれ人字型に形成され、それぞれ前記ロワーダウンバーと前記ボトムカップバーとの間に上下に併設され、中間が上方に突出し、
前記アッパーカップバーは、両側端がそれぞれ対応する前記サイドウィングバーに接続され、
前記ロワーカップバーは、両側端が前記ロワーダウンバーに接続される、
ことを特徴とする請求項２に記載の分離式弾性フレームブラジャ。
【請求項４】
前記センターロワーダウンフレームには、カップリブがさらに含まれ、
二つの前記カップリブは、縦方向に設けられ、上端がそれぞれ対応する前記クランプバーに接続され、下端がそれぞれ対応する前記アッパーカップバーに接続される、
ことを特徴とする請求項３に記載の分離式弾性フレームブラジャ。
【請求項５】
前記センターロワーダウンフレームには、センターバーがさらに含まれ、
一つ以上の前記センターバーは、水平に併設され、両端がそれぞれ前記ロワーカップバーの二つの内側に接続される、
ことを特徴とする請求項３に記載の分離式弾性フレームブラジャ。
【請求項６】
前記ストラップカップエッジフレームは、カップエッジフロント肩バー及びクランプフロント肩バーから構成され、
二つの前記カップエッジフロント肩バーは、中間の両側の上方におけるストラップから中間の下方に合流してセンタートップを形成し、
二つの前記クランプフロント肩バーは、前記カップエッジフロント肩バーの外側に位置し、上端がストラップにおいてそれぞれ対応する前記カップエッジフロント肩バーに併設されて接続され、内側に弧状に形成され、下端がクランプまで延出する、
ことを特徴とする請求項１に記載の分離式弾性フレームブラジャ。
【請求項７】
前記左リアウィングフレーム及び右リアウィングフレームは、それぞれアッパーウィングバー、ロワーウィングバー、リアＵ字型バー及びバックバックルバーから構成され、
前記アッパーウィングバーは、横方向に設けられ、外側端が前記リアＵ字型バーの上端に接続され、
前記リアＵ字型バーは、下端が縦方向に設けられる前記バックバックルバーの上端に接続され、
前記バックバックルバーは、下端が前記ロワーウィングバーの外側端に接続され、
前記アッパーウィングバー及びロワーウィングバーは、内側端がそれぞれ前記サイドウィングバーの位置まで内側に延出する、
ことを特徴とする請求項２に記載の分離式弾性フレームブラジャ。
【請求項８】
前記左リアウィングフレーム及び右リアウィングフレームには、ウィング横バーがさらに含まれ、
前記ウィング横バーは、前記ロワーウィングバーの上方に位置し、外側端が前記バックバックルバーに接続され、内側端がそれぞれ前記サイドウィングバーの位置まで内側に延出する、
ことを特徴とする請求項７に記載の分離式弾性フレームブラジャ。
【考案の詳細な説明】
【技術分野】
【０００１】
本考案は、ブラジャに関し、特に分離式弾性フレームブラジャに関するものである。
【背景技術】
【０００２】
従来のブラジャは、全部弾性布地で縫ってから作製されている。支えられる必要のあるカップが変形しないため、ワイヤをつけなければならないし、ワイヤから皮膚を保護するためにスポンジもつけなければならない。そうすると工芸が複雑で、全体の弾性が悪く、作られた製品も分厚いから、見栄えも影響する。
【０００３】
本考案者は、表地の対応する位置に弾性フレーム接着テープをコーティングし、表地と組み合わせてブラジャ全体を形成し、全体的な弾性の増加によってブラジャの寄せ上げ効果を高める弾性フレーム付きブラジャを先に出願した。
【０００４】
実際の人々の生活では、人々のファッション、美しさ、そして快適さの追求は不可分であり、人体が異なるため、追及される快適度、快適モード及び快適部分も異なる。
【０００５】
従来の弾性フレーム付きブラジャは、ブラジャの製造プロセスが大幅に最適化される。しかしながら、弾性フレームワークは、ブラジャの表面全体をカバーするため、異なる人体の個別化ニーズに対しては多くのユーザーを効果的に満たすことができない。
【考案の概要】
【０００６】
従って、本考案の主要目的は、分離式弾性フレームブラジャを提供することである。本考案よれば、弾性フレームをストラップカップエッジフレーム、センターロワーダウンフレーム、左リアウィングフレーム及び右リアウィングフレームの四つの部分からなる分離式弾性フレームに分ける。四つの部分からなるフレームは、市場の需要と市場によるテストにより適切に対応できるように異なる対象者のニーズを満たすために任意に組み合わせられる。
【０００７】
上記目的を実現するため、本考案に係る態様によれば、表地と、複数の弾性材料バーを接続して形成される弾性フレームとを含む分離式弾性フレームブラジャであって、前記弾性フレームは、ストラップカップエッジフレーム、センターロワーダウンフレーム、左リアウィングフレーム及び右リアウィングフレームの四つの部分に分かれて構成され、前記表地は、全体的なブラジャの形状であり、前記ストラップカップエッジフレーム、センターロワーダウンフレーム、左リアウィングフレーム及び右リアウィングフレームのうちいずれか一つ以上は、表地の対応する位置に弾性フレーム接着テープがコーティングされる分離式弾性フレームブラジャが提供される。
【０００８】
また、本態様では、前記センターロワーダウンフレームは、ボトムカップバー、クランプバー、サイドウィングバー及びロワーダウンバーから構成され、前記ロワーダウンバーは、前記弾性フレームの中間の下方に位置する水平横バーであり、二つの前記サイドウィングバーは、縦方向に設けられ、下端がそれぞれ対応する前記ロワーダウンバーの両端に接続され、二つの前記クランプバーは、水平方向に内側と上方に傾斜して設けられ、外側端がそれぞれ対応する前記サイドウィングバーの上端に接続され、前記ボトムカップバーは、「ω」字型となるように前記ロワーダウンバーの上方中間位置に設けられ、両側の上方端部がそれぞれ対応する前記クランプバーの内側端に接続される。
【０００９】
また、本態様では、前記センターロワーダウンフレームには、アッパーカップバー及びロワーカップバーがさらに含まれ、前記アッパーカップバー及びロワーカップバーは、それぞれ人字型に形成され、それぞれ前記ロワーダウンバーと前記ボトムカップバーとの間に上下に併設され、中間が上方に突出し、前記アッパーカップバーは、両側端がそれぞれ対応する前記サイドウィングバーに接続され、前記ロワーカップバーは、両側端が前記ロワーダウンバーに接続される。
【００１０】
また、本態様では、前記センターロワーダウンフレームには、カップリブがさらに含まれ、二つの前記カップリブは、縦方向に設けられ、上端がそれぞれ対応する前記クランプバーに接続され、下端がそれぞれ対応する前記アッパーカップバーに接続される。
【００１１】
また、本態様では、前記センターロワーダウンフレームには、センターバーがさらに含まれ、一つ以上の前記センターバーは、水平に併設され、両端がそれぞれ前記ロワーカップバーの二つの内側に接続される。
【００１２】
また、本態様では、前記ストラップカップエッジフレームは、カップエッジフロント肩バー及びクランプフロント肩バーから構成され、二つの前記カップエッジフロント肩バーは、中間の両側の上方におけるストラップから中間の下方に合流してセンタートップを形成し、二つの前記クランプフロント肩バーは、前記カップエッジフロント肩バーの外側に位置し、上端がストラップにおいてそれぞれ対応する前記カップエッジフロント肩バーに併設されて接続され、内側に弧状に形成され、下端がクランプまで延出する。
【００１３】
また、本態様では、前記左リアウィングフレーム及び右リアウィングフレームは、それぞれアッパーウィングバー、ロワーウィングバー、リアＵ字型バー及びバックバックルバーから構成され、前記アッパーウィングバーは、横方向に設けられ、外側端が前記リアＵ字型バーの上端に接続され、前記リアＵ字型バーは、下端が縦方向に設けられる前記バックバックルバーの上端に接続され、前記バックバックルバーは、下端が前記ロワーウィングバーの外側端に接続され、前記アッパーウィングバー及びロワーウィングバーは、内側端がそれぞれ前記サイドウィングバーの位置まで内側に延出する。
【００１４】
また、本態様では、前記左リアウィングフレーム及び右リアウィングフレームには、ウィング横バーがさらに含まれ、前記ウィング横バーは、前記ロワーウィングバーの上方に位置し、外側端が前記バックバックルバーに接続され、内側端がそれぞれ前記サイドウィングバーの位置まで内側に延出する。
【考案の効果】
【００１５】
上記態様によれば、以下の効果を奏する。弾性フレームをストラップカップエッジフレーム、センターロワーダウンフレーム、左リアウィングフレーム及び右リアウィングフレームの四つの部分からなる分離式弾性フレームに分ける。四つの部分からなるフレームは、市場の需要と市場によるテストにより適切に対応できるように異なる対象者のニーズを満たすために任意に組み合わせられる。
【図面の簡単な説明】
【００１６】
【図１】本考案に係る分離式弾性フレームブラジャを示す概略図である。
【図２】本考案に係る分離式弾性フレームブラジャの分解構造を示す概略図である。
【図３】本考案に係る分離式弾性フレームブラジャの断面構造を示す概略図である。
【図４】図３におけるＡ領域の拡大構造を示す概略図である。
【図５】本考案に係るストップピン柱と第１ウォームアセンブリとの位置関係を示す概略図である。
【図６】本考案に係るトップリングの構造を示す概略図である。
【考案を実施するための形態】
【００１７】
以下、図面を参照しながら本考案に係る実施形態について詳細に説明する。
【００１８】
図１〜図４に示すように、本実施形態に係る弾性フレームブラジャは、表地１と弾性フレームとを含む。弾性フレームは、複数の弾性材料バーを接続して形成され、ストラップカップエッジフレーム１９、センターロワーダウンフレーム１８、左リアウィングフレーム２０及び右リアウィングフレーム２１の四つの部分に分かれて構成される。表地１は、全体的なブラジャの形である。ストラップカップエッジフレーム、センターロワーダウンフレーム、左リアウィングフレーム及び右リアウィングフレームのうちいずれか一つ以上は、表地の対応する位置に弾性フレーム接着テープがコーティングされる。
【００１９】
また、他の実施例では、センターロワーダウンフレーム１８は、ボトムカップバー２、クランプバー３、サイドウィングバー４及びロワーダウンバー５から構成される。ロワーダウンバー５は、弾性フレームの中間の下方に位置する水平横バーである。二つのサイドウィングバー４は、縦方向に設けられ、下端がそれぞれ対応するロワーダウンバー５の両端に接続される。二つのクランプバー３は、水平方向に内側と上方に傾斜して設けられ、外側端がそれぞれ対応するサイドウィングバー４の上端に接続される。ボトムカップバー２は、「ω」字型となるようにロワーダウンバー５の上方中間位置に設けられ、両側の上方端部がそれぞれ対応するクランプバー３の内側端に接続される。
【００２０】
また、他の実施例では、センターロワーダウンフレーム１８には、アッパーカップバー６及びロワーカップバー７がさらに含まれる。アッパーカップバー６及びロワーカップバー７は、それぞれ人字型に形成され、それぞれロワーダウンバー５とボトムカップバー２との間に上下に併設され、中間が上方に突出する。アッパーカップバー６は、両側端がそれぞれ対応するサイドウィングバー４に接続される。ロワーカップバー７は、両側端がロワーダウンバー５に接続される。
【００２１】
また、他の実施例では、センターロワーダウンフレーム１８には、カップリブ８がさらに含まれる。二つのカップリブ８は、縦方向に設けられ、上端がそれぞれ対応するクランプバー３に接続され、下端がそれぞれ対応するアッパーカップバー６に接続される。
【００２２】
また、他の実施例では、センターロワーダウンフレーム１８には、センターバー９がさらに含まれる。一つ以上のセンターバー９は、水平に併設され、両端がそれぞれロワーカップバー７の二つの内側に接続される。
【００２３】
また、他の実施例では、ストラップカップエッジフレーム１９は、カップエッジフロント肩バー１０及びクランプフロント肩バー１１から構成される。二つのカップエッジフロント肩バー１０は、中間の両側の上方におけるストラップから中間の下方に合流してセンタートップ１２を形成する。二つのクランプフロント肩バー１１は、カップエッジフロント肩バー１０の外側に位置し、上端がストラップにおいてそれぞれ対応するカップエッジフロント肩バー１０に併設されて接続され、内側に弧状に形成され、下端がクランプまで延出する。
【００２４】
また、他の実施例では、左リアウィングフレーム２０及び右リアウィングフレーム２１は、それぞれアッパーウィングバー１３、ロワーウィングバー１４、リアＵ字型バー１５及びバックバックルバー１６から構成される。アッパーウィングバー１３は、横方向に設けられ、外側端がリアＵ字型バー１５の上端に接続される。リアＵ字型バー１５は、下端が縦方向に設けられるバックバックルバー１６の上端に接続される。バックバックルバー１６は、下端がロワーウィングバー１４の外側端に接続される。アッパーウィングバー１３及びロワーウィングバー１４は、内側端がそれぞれサイドウィングバー４の位置まで内側に延出する。
【００２５】
また、他の実施例では、左リアウィングフレーム２０及び右リアウィングフレーム２１には、ウィング横バー１７がさらに含まれる。ウィング横バー１７は、ロワーウィングバー１４の上方に位置し、外側端がバックバックルバー１６に接続され、内側端がそれぞれサイドウィングバーの４位置まで内側に延出する。
【００２６】
図５に示すように、本実施形態の実施例一では、ストラップカップエッジフレーム１９及びセンターロワーダウンフレーム１８の組み合わせにより、人体の横方向の圧力を軽減することができ、肥満の体型に適しており、人体の脇の下から肉が押し出されることにより見た目に影響を与えるのを防止することができ、比較的ゆったりとしていて快適である。
【００２７】
図６に示すように、本実施形態の実施例二では、センターロワーダウンフレーム１８、左リアウィングフレーム２０及び右リアウィングフレーム２１の組合せにより、ストラップレスストレートブラジャを形成することができ、形状が美しくファッショナブルであり、衣類とのマッチングが便利になり、安全で安心して着用することができる。
【００２８】
以上、本実施形態及び各変形例について説明したが、上記実施形態及び各変形例は、本考案の適用例を示したに過ぎず、本考案の技術的範囲を上記実施形態の具体的構成に限定する趣旨ではない。
【符号の説明】
【００２９】
１、表地
２、ボトムカップバー
３、クランプバー
４、サイドウィングバー
５、ロワーダウンバー
６、アッパーカップバー
７、ロワーカップバー
８、カップリブ
９、センターバー
１０、カップエッジフロント肩バー
１１、クランプフロント肩バー
１２、センタートップ
１３、アッパーウィングバー
１４、ロワーウィングバー
１５、リアＵ字型バー
１６、バックバックルバー
１７、ウィング横バー
１８、センターロワーダウンフレーム
１９、ストラップカップエッジフレーム
２０、左リアウィングフレーム
２１、右リアウィングフレーム
【図１】
0003230306.tif 000003
【図２】
0003230306.tif 000004
【図３】
0003230306.tif 000005
【図４】
0003230306.tif 000006
【図５】
0003230306.tif 000007
【図６】
0003230306.tif 000008